(57)【要約】【課題】  組立容易性と搬送容易性とを併せ持つべく、ヒンジを介して、板状脚部とカウンター部を折畳み可能な部材と、その他のいくつかの部材を組みあわせて、簡単に、素早く組み立てられ、しかも、強固に組上がり、しかも解体も容易な組み立て式カウンターを提供する。【解決手段】  ヒンジを介して折畳み自在に連結した板状脚部と、同板状脚部を平面コ字状に組立てたときにその上端に載置し、板状脚部をコ字状に固定する天板と、天板上に載置される引き出し付きのカウンター本体と、天板の両側縁及び前側縁にそれぞれヒンジを介して折畳み自在に立設しうるケース側面ガラス部及びケース前面ガラス部と、コ字状に立設した各ガラス部の上端に載置可能な天板ガラス部との各組合せよりなる組立て式カウンターケース【選択図】図１
2007117203.tif 000002
【特許請求の範囲】
【請求項１】
ヒンジを介して折畳み自在に連結した板状脚部と、同板状脚部を平面コ字状に組立てたときにその上端に載置し、板状脚部をコ字状に固定する天板と、天板上に載置される引き出し付きのカウンター本体と、天板の両側縁及び前側縁にそれぞれヒンジを介して折畳み自在に立設しうるケース側面ガラス部及びケース前面ガラス部と、コ字状に立設した各ガラス部の上端に載置可能な天板ガラス部との各組合せよりなる組立て式カウンターケース。
【請求項２】
前記天板は、端縁部に引き出し付きのカウンター本体と嵌合する突縁部と、前記板状脚部と嵌合する雌ねじを有したほぞ穴と、前記ケース側面ガラス部及びケース前面ガラス部用のヒンジ穴と、を有すること特徴とする請求項１記載の組立て式カウンターケース。
【請求項３】
前記引き出し付きのカウンター本体は、前記天板の端縁部にある突縁部内側に嵌合固定される台であって、複数部分に分割された引き出しと、前記引き出しに前板部を固定するための切り欠き部と、前記前板部を固定するための固定ねじを有することを特徴とする請求項１、２記載の組立て式カウンターケース。
【請求項４】
前記ケース側面ガラス部及び前記ケース前面ガラス部は、ヒンジ軸がヒンジケース内に出入り自在なヒンジと、ヒンジ軸がヒンジケース内に出入りしないヒンジと、前記ケース側面ガラス部及び前記ケース前面ガラス部のガラスを取り付ける金具よりなることを特徴とする請求項１から３記載の組立て式カウンターケース。
【請求項５】
前記天板ガラス部は、前記ケース側面ガラス部及び前記ケース前面ガラス部をコの字型に固定するフレームに載置されることを特徴とする請求項１から４記載の組立て式カウンターケース。
【発明の詳細な説明】
【技術分野】
【０００１】
本発明は、組立て式カウンターケースに係わり、特に解体、組立が自在な組立て式カウンターケースに関する。
【背景技術】
【０００２】
従来、店舗等で使用されているカウンターは、工場において部品を製造し、さらに、製造された各部品を工場で組立し、完成品として現場に搬入されるか、又は製造された各部品を現場に持ち込んで現場で組立を行っていた（例えば、特許文献１参照。）。
【０００３】
したがって、店舗に付属する倉庫にカウンターを解体されることなく、そのままの形で保存されていることが多い。また、店舗のレイアウト変更や、売り場の追加にあわせて、複数種類のカウンターケースを準備、作り増しをしたり、入れ替えをしたりしていた。
【特許文献１】特開２０００−４９９９号公報
【発明の開示】
【発明が解決しようとする課題】
【０００４】
しかしながら、工場、現場での専任メンバーによる組立であるため、カウンター引き渡し後の解体、再組立は困難であった。それ故に、販売場所のレイアウト変更があった場合や、臨時の販売場所の縮小や増加があった場合には、組上がったままの形でカウンターを備品倉庫から移動させたり、別の販売場所追加が発生するまで、そのまま保存しなければならず、保管場所を多く持たねばならない上、保管の手間もかかると言う結果を招いていた。
【０００５】
また、近年では短期間に売り場の模様替えが出来ることが要求されるようになってきており、さらには、売り場効率を上げるためにも、売り場以外のストックスペースを極力減らした上で、販売物品を並べるためのカウンターケースが可及的速やかに準備されることが求められるようになってきた。
【０００６】
本発明は上記問題点に鑑みなされたもので、組立容易性と搬送容易性とを併せ持つべく、ヒンジを介して、板状脚部とカウンター部を折畳み可能な部材と、その他のいくつかの部材を組みあわせて、簡単に、素早く組み立てられ、しかも、強固に組上がり、しかも解体も容易な組み立て式カウンターを提供することを目的とする。
【課題を解決するための手段】
【０００７】
本発明は、上記課題を解決するために、請求項１に記載の発明は、ヒンジを介して折畳み自在に連結した板状脚部と、同板状脚部を平面コ字状に組立てたときにその上端に載置し、板状脚部をコ字状に固定する天板と、天板上に載置される引き出し付きのカウンター本体と、天板の両側縁及び前側縁にそれぞれヒンジを介して折畳み自在に立設しうるケース側面ガラス部及びケース前面ガラス部と、コ字状に立設した各ガラス部の上端に載置可能な天板ガラス部との各組合せよりなる組立て式カウンターケースであることを特徴とする。
【０００８】
また、請求項２に記載の発明は、天板は、端縁部に引き出し付きのカウンター本体と嵌合する突縁部と、前記板状脚部と嵌合する雌ねじを有したほぞ穴と、前記ケース側面ガラス部及びケース前面ガラス部用のヒンジ穴と、を有すること特徴とする。
【０００９】
また、請求項３に記載の発明は、引き出し付きのカウンター本体は、前記天板の端縁部にある突縁部内側に嵌合固定される台であって、複数部分に分割された引き出しと、前記引き出しに前板部を固定するための切り欠き部と、前記前板部を固定するための固定ねじを有することを特徴とする。
【００１０】
また、請求項４に記載の発明は、ケース側面ガラス部及び前記ケース前面ガラス部は、ヒンジ軸がヒンジケース内に出入り自在なヒンジと、ヒンジ軸がヒンジケース内に出入りしないヒンジと、前記ケース側面ガラス部及び前記ケース前面ガラス部のガラスを取り付ける金具よりなることを特徴とする。
【００１１】
また、請求項５に記載の発明は、天板ガラス部は、前記ケース側面ガラス部及び前記ケース前面ガラス部をコの字型に固定するフレームに載置されることを特徴とする。
【発明の効果】
【００１２】
請求項１記載の発明によれば、ヒンジを介して折畳み自在に連結した板状脚部と、同板状脚部を平面コ字状に組立てたときにその上端に載置し、板状脚部をコ字状に固定する天板と、天板上に載置される引き出し付きのカウンター本体と、天板の両側縁及び前側縁にそれぞれヒンジを介して折畳み自在に立設しうるケース側面ガラス部及びケース前面ガラス部と、コ字状に立設した各ガラス部の上端に載置可能な天板ガラス部との各組合せよりなる組立て式カウンターケースであることで、カウンターケースを組み立てる際の土台に当たる板状脚部が、ついたてのように、折畳まれた状態から展開されて自立し、固定され、板状脚部上部に載置される天板とカウンター本体とガラス部と天板ガラス部等のいくつかの部材を組みあわせて作り上げることができ、搬送容易性、保管スペースの縮小、組立および解体容易性を兼ねることができる。
【００１３】
請求項２記載の発明によれば、天板は、端縁部に引き出し付きのカウンター本体と嵌合する突縁部と、前記板状脚部と嵌合する雌ねじを有したほぞ穴と、前記ケース側面ガラス部及びケース前面ガラス部用のヒンジ穴と、を有すること特徴とすることで、脚部の金具とのはまり合いで、板状脚部を引き出し付きのカウンター本体をはめ込み式で素早く、強固にコの字に固定でき、ケース側面ガラス部及びケース前面ガラス部を、ヒンジ穴を中心に回動させる事で折り畳んで収納ができ、組立容易性と搬送時の容量をコンパクトにすることができる。
【００１４】
請求項３記載の発明によれば、引き出し付きのカウンター本体は、前記天板の端縁部にある突縁部内側に嵌合固定される台であって、複数部分に分割された引き出しと、前記引き出しに前板部を固定するための切り欠き部と、前記前板部を固定するための固定ねじを有することを特徴とすることで、引き出しの底部と引き出しの立ち上がり部を容易に嵌合でき、組立容易性と搬送時の容量をコンパクトにすることができる。
【００１５】
請求項４記載の発明によれば、ケース側面ガラス部及び前記ケース前面ガラス部は、ヒンジ軸がヒンジケース内に出入り自在なヒンジと、ヒンジ軸がヒンジケース内に出入りしないヒンジと、前記ケース側面ガラス部及び前記ケース前面ガラス部のガラスを取り付ける金具よりなることを特徴とすることで、狭いスペースでもヒンジを取り付けられるとともに、不可抗力によって破損した場合でも、容易に取り外し、組み込み交換を行うことができる。
【００１６】
請求項５記載の発明によれば、天板ガラス部は、前記ケース側面ガラス部及び前記ケース前面ガラス部をコの字型に固定するフレームに載置されることを特徴とすることで、特別な立設用の固定部材を必要とせず、天板ガラス部の固定と位置合わせを容易に行うことができる。
【発明を実施するための最良の形態】
【００１７】
本発明は、ヒンジを介して折畳み自在に連結した板状脚部と、同板状脚部を平面コ字状に組立てたときにその上端に載置し、板状脚部をコ字状に固定する天板と、天板上に載置される引き出し付きのカウンター本体と、天板の両側縁及び前側縁にそれぞれヒンジを介して折畳み自在に立設しうるケース側面ガラス部及びケース前面ガラス部と、コ字状に立設した各ガラス部の上端に載置可能な天板ガラス部との各組合せよりなる組立て式カウンターケースであることを特徴とする。
【００１８】
したがって、カウンターケースを組み立てる際の土台に当たる板状脚部が、ついたてのように、折り畳まれた状態から展開されて自立し、固定され、板状脚部上部に載置される天板とカウンター本体とガラス部と天板ガラス部等のいくつかの部材を組みあわせて作り上げることができ、搬送容易性、保管スペースの縮小、組立および解体容易性を兼ねることができる。
【００１９】
また、天板は、端縁部に引き出し付きのカウンター本体と嵌合する突縁部と、前記板状脚部と嵌合する雌ねじを有したほぞ穴と、前記ケース側面ガラス部及びケース前面ガラス部用のヒンジ穴と、を有すること特徴とすること。したがって、カウンターの本体をはめ込み式で素早く、容易に固定でき、ケース側面ガラス部及びケース前面ガラス部を、ヒンジ穴を中心に回動させる事で折り畳んで収納ができ、組立容易性と搬送時の容量をコンパクトにすることができる。
【００２０】
また、引き出し付きのカウンター本体は、前記天板の端縁部にある突縁部内側に嵌合固定される台であって、複数部分に分割された引き出しと、前記引き出しに前板部を固定するための切り欠き部と、前記前板部を固定するための固定ねじを有することを特徴とする。したがって、引き出しの底部と引き出しの立ち上がり部を容易に嵌合でき、組立容易性と搬送時の容量をコンパクトにすることができる。
【００２１】
また、ケース側面ガラス部及び前記ケース前面ガラス部は、ヒンジ軸がヒンジケース内に出入り自在なヒンジと、ヒンジ軸がヒンジケース内に出入りしないヒンジと、前記ケース側面ガラス部及び前記ケース前面ガラス部のガラスを取り付ける金具よりなることを特徴とする。したがって、不可抗力によって破損した場合でも、容易に取り外し、組み込み交換を行うことができる。
【００２２】
また、天板ガラス部は、前記ケース側面ガラス部及び前記ケース前面ガラス部をコの字型に固定するフレームに載置されることを特徴とする。したがって、特別な立設用の固定部材を必要とせず、天板ガラス部の固定と位置合わせを容易に行うことができる。
【００２３】
以下に、本実施の形態に係わる組立て式カウンターケースについて、図面を用いて具体的に説明する。
【００２４】
本発明は、折り畳み可能な板状脚部を含む、いくつかの部材を組みあわせて、板状脚部に部材を積み上げる方式で組み立てられる組み立て式カウンターケースである。図１に、本実施の形態における組立て式カウンターケースの折畳まれた部材を展開した状態を示す。４枚の板をヒンジで重合し、板状脚部とした脚部２１，２３，２４，２５は破線で示されるヒンジ３０，３１，３２，３３で重合され、折畳み自在となっている。脚部２４，２５の接合もヒンジ（不図示）でなされる。展開された脚部２１，２３，２４，２５に、折畳み可能なガラスをセットされた天板１５と嵌合される。その嵌合は増し締め機構を備えた嵌合部材２０によってなされる。詳細については図２で説明する。また、天板１５の高さ調整のためと、床に接した場合の板状脚部のがたつきを補正できるようレベルあわせ部材２２が脚部２１，２５に設置されている。
【００２５】
また、板状脚部に載置される天板１５は、引き出し付きのカウンター本体１１を支える台座とカウンターケースのガラス部の収納部材を兼ねている。天板１５は端縁部に突縁部８０を有する。突縁部８０は、鈎付きのコの字状をしており、コの字の鈎部分でカウンター本体１１と嵌着が強固になされ、固定に有効である。また、突縁部８０にはケース側面ガラス部及び前記ケース前面ガラス部１２，１３，１４のヒンジ軸を嵌入するヒンジ孔が穿設されており、ケース側面ガラス部及び前記ケース前面ガラス部１２，１３，１４のヒンジ軸を挿入嵌着し、回動出来るように構成されている。カウンターケースのガラス部は、天板１５の長手方向に設置されるケース前面ガラス部１３と、短い方向のケース側面ガラス部１２，１４が略９０度回転して折畳まれて収納されている。ケース側面ガラス部１２にはヒンジ１６，１７が設置されており、突縁部８０に嵌着され、回転可能となる。
【００２６】
この天板１５の３方向はヒンジ機構を持つ金具を備えた回転可能なガラス部で構成されており、略９０度回転することで、折畳み状態から展開され、コ字状をした立体のカウンターケースへ状態を変えることができる。
【００２７】
天板１５にはケース側面ガラス部及び前記ケース前面ガラス部１２，１３，１４が立設された後に、引き出し付きのカウンター本体１１が天板１５の端縁部の突縁部８０に嵌着され、固定される。
【００２８】
天板１５に載置され、カウンターケースの内部の陳列台になる引き出し付きのカウンター本体１１の引き出しには、取っ手６５が取り付けられており、展示物の入れ替えや、取り出しの時に利用される。図１の例では３カ所の引き出しがあり、各々、幅の異なる前板部材５、６、７が抜き差しされる構造で、引き出しを独立に操作することが可能である。前板部材５、６、７は透明でも不透明でも良く、装飾性を有し、展示物を引き立てる機能を有するものでもよい。例えば、宝石等を展示する場合には金屏風のような装飾性を備えていてもかまわない。
【００２９】
引き出し付きのカウンター本体１１は複数の引き出しを備え、引き出しの幅の差し込み式のガラス等の透明部材を含む前板部材５，６，７で引き出しの立ち上がりを構成し、引き出し式の陳列台が構成されている。引き出しのたちあがりの一つである構成する前板部材５は、ガラス等の壁部材２と、壁部材２を支えるコの字ステー４と、引き出し付きカウンター本体１１の引き出し部分に差し込んで固定するための差し込みステー３からなる。他の引き出しも同じ構成である。
【００３０】
引き出し付きカウンター本体１１には付属品として、照明器具８と、照明器具８を支えるソケットステー９と、ソケットステー９に接続されている電力線３６が通る穴１０で構成されており、穴１０を介して、不図示のソケットで点灯用スイッチ３５とコンセント３４が接続されている。コンセント３４は既設の商用電力が供給されている壁等のコンセントに接続され、店頭用スイッチ３５のｏｎ，ｏｆｆで照明器具８が点灯、消灯ができるように構成されている。天板１５には、天板１５の取り外しを容易にしたり、もちやすくするための持ち手穴１９が設置されている。この持ち手穴１９を通して、引き出し付きのカウンター本体１１をしたから突き上げて嵌着をはずし解体できるため、組立容易性や解体のし易くなる。
【００３１】
さらに組立時あるいは使用中に、ガラス等が破損した時には、ヒンジごと天板１５から分離、交換可能である。ヒンジ１６は回転軸が金具部内で出し入れが出来る構造になっているのに対し、ヒンジ１７は回転軸が出し入れできない構造になっている。そのため、ヒンジ１６はヒンジ１７と構造が異なる構造になっている。片方だけをヒンジ穴からはずれるようにするヒンジを使用することで、コストを下げることができる。ケース前面ガラス部１３とケース側面ガラス部１４にもケース側面ガラス部１２に設置されているヒンジ１６，１７と同様のヒンジが設置されていることで、この場合にも、破損した場合には天板１５から、ヒンジごと分離、交換が可能である。ケース前面ガラス部１３に設置されているヒンジ１８はケース側面ガラス部１２に設置されているヒンジ１７と同じ構造で、ヒンジ１８の反対側の端にはヒンジ１６と同様のヒンジが設置されており、略９０度回転することが出来る。ヒンジの構造の詳細については図５で説明をする。
【００３２】
天板１５に引き出し付きカウンター本体１１を設置し、ケース側面ガラス部及びケース前面ガラス部がコ字状に立設されている状態で、その上面を覆う天板ガラス部１が載置され、八方ふさがりのカウンターケースを組立あげることができる。天板ガラス部１の位置固定には、ゴム台４０が利用されるが、薄い柔軟性のある部材か、両面テープのような粘着性のあるものを利用してもかまわない。
【００３３】
天板１５と板状脚部とを嵌合する嵌合部材を、図２に示す。組立て式カウンターケースの場合は、多くはダボと呼ばれる木製の突起が使用され、嵌合される部材の位置固定に利用される。本発明の一実施形態に係る組立て式カウンターケースでは、さらに強固に板状脚部と天板１５を固定するために、脚部２１に、ダボを構成する突起２０に雄ねじが切られており、ねじの締まる方向に回転できるレバー６２が備わり、突起２０とレバー６２を支えるステー６１が一体となった増し締め機構を持つ固定部材を使用する。天板１５に底部には、突起２０の雄ねじに合致した雌ねじをきられたほぞ穴６３がもうけられており、脚部２１に、天板１５を載置し、突起２０に嵌合させ、矢印方向にレバー６２を操作することで、突起２０の雄ねじと、天板１５の穴６３の雌ねじがかみ合って、強固に固定できる。図２の右図が、固定された状態を示す。
【００３４】
組立前の状態の、折畳まれた板状脚部を図３に示す。４枚の板がヒンジを介して折畳まれる。板状脚部の各部材は、切り込み６０の中にヒンジ３０、３１、３２、３３が取り付けられ、平面コ字状に組み立てられた時にはヒンジは板状脚部の表面に出ないように設置されている。脚部２５と２４を接合しているヒンジ（不図示）も、脚部２１，２３が接合されている物と同様に、切り込み６０にヒンジが設置されている。切り込みの中に設置されていることで、組立時にはヒンジは切り込みの中に収まり、表面にでないような構造になっているため、高級感を持たすことができる。
【００３５】
この板状脚部を展開し、平面コ字状に組み立てるには、脚部２１、２５を矢印の方向に回転させ、脚部２３、２４が直線状になるように広げ、脚部２１、２５が脚部２３、２４に直角になるように設置する。こうして、天板１５をケース側面ガラス部及び前記ケース前面ガラス部１２，１３，１４が折り畳まれた状態で展開された板状脚部に載置することが出来る。
【００３６】
板状脚部に載置される天板１５に、ケース前面ガラス部およびケース側面ガラス部が折り畳まれた状態で収納されている状態を、図４に示す。天板１５の、図１で示したガラス部が垂直方向に立ち上がった形態は、最初にケース前面ガラス部１３を最初に矢印で示すように略９０度回転させ、その位置で支え、次にケース側面ガラス部１２、１４を矢印で示すように略９０度回転させることで行うことができる。その位置を固定するために、図１で示したゴム台４０が使用される。ガラス部１２、１３、１４が折り畳まれる場合には天板１５の突縁部８０の高さの中に収まるように、ヒンジ位置が設定されている。すなわち、ガラス部１２、１３、１４の両端には図５に示すヒンジが使用されている。ケース側面ガラス部１２、１４の上に重なるようにケース前面ガラス部１３が折り畳まれるため、ヒンジの取り付け高さはケース側面ガラス部１２、１４とケース前面ガラス部１３では異なり、ケース側面ガラス部１２、１４の厚み分だけ高い位置にケース前面ガラス部１３の回転用のヒンジは取り付けられ、折り畳まれた時にぶつからない位置に設置される。
【００３７】
ケース前面ガラス部およびケース側面ガラス部１２，１３，１４の両端に用いられているヒンジについて、図５を用いて説明する。ヒンジはケース前面ガラス部およびケース側面ガラス部１２，１３，１４が、天板１５の突縁部８０に穿設されたヒンジ孔と嵌着して、回転するための部材であり、また、天板１５からガラス部の取り外しも可能である。図５に示すように、ガラス部１２，１３，１４の下端縁部にはそれぞれ、ガラス５０と、ガラス５０を支え、外側壁に伸縁部を持つ断面コの字状の狭持ステー５１と、ヒンジ１６からなっている。
【００３８】
ヒンジ１６は天板１５の突縁部に形成したヒンジ孔５９に嵌着されたヒンジ軸５３と、同ヒンジ軸５３をケーシングするヒンジケース５２からなり、ヒンジケース５２は狭持ステー５１に固着されているため、ケース側面ガラス部１４は狭持ステー５１およびヒンジケース５２と一体になって天板１５の突縁部のヒンジ孔５９に嵌着され、ヒンジ軸５３を中心として回動する様に構成されている。したがって、ケース側面ガラス部１４を、ヒンジ１６を介して天板の突縁部の内側に折り畳んだ場合には、ケース側面ガラス部１４は天板１５の突縁で囲まれた扁平空間内に収納されて天板１５と重合状態となり、全体容量を小さく、形状も扁平状に折り畳むことができる。
【００３９】
なお、ヒンジ軸５３は、ヒンジケース５２中に押し込み自在に構成しており、同ヒンジ軸５３の基端はヒンジケース５２の内底面との間に介設したスプリング５７によって、ヒンジ軸５３の先端方向に付勢している。ヒンジ１６のヒンジ軸５３をヒンジケース５２から出し入れを操作するために、ヒンジピン５６に削り込まれた溝５４を、ヒンジケース５２の窓５５から先端がとがった特殊工具で溝５４を引っかけ、窓５５を通して特殊工具をヒンジ軸の動作方向に動かすことで、行われる。
【００４０】
従って、ヒンジ１６のヒンジ軸５３先端を天板１５の突縁に穿設したヒンジ孔５８に嵌着させるに際しては、スプリング５７の付勢に抗してヒンジ軸５３をヒンジケース５２中に押し込みながら天板１５の突縁部内側面にヒンジ軸先端面を沿わせてヒンジ孔５８の位置まで移動させて、その後スプリング５７の付勢によりヒンジ孔５８の中にヒンジ軸先端を挿入嵌着するものである。
【００４１】
一方、ケース前面ガラス部およびケース側面ガラス部１２、１３、１４のヒンジ１６の設置されていない他の端部には、ヒンジ１６のように、ヒンジ軸５３がヒンジケース５２に押し込み自在でないヒンジ１７が設けられている。すなわち、ヒンジ１７はヒンジ軸が固定である。天板１５にケース側面ガラス部１４を取り付ける際には、最初にヒンジ１７をヒンジ孔５８にヒンジ軸をやや斜めに挿入し、次にヒンジ１６を前述した手順のように、ヒンジ軸５３をヒンジケース５２中に押し込みながら天板１５の突縁部内側面にヒンジ軸先端面を沿わせてヒンジ孔５８の位置まで移動させて、その後スプリング５７の付勢によりヒンジ孔５８の中にヒンジ軸先端を挿入嵌着する。
【００４２】
ここで、ケース側面ガラス部１４の両端が天板１５の突縁部に穿設されたヒンジ孔５８、５９にヒンジ１７，１６が挿入嵌着される。ケース側面ガラス部１４のヒンジ用のヒンジ孔はケース前面ガラス部１３のヒンジ孔より低い位置にあけられており、折り畳み時にケース側面ガラス部１４の上に重なるようケース前面ガラス部１３が折り畳めるようになっている。
【００４３】
次に、引き出し付きのカウンター本体の引き出し部に設置される、前板部材の固定について、図６を用いて説明する。図６に示すように前板部材５はガラス部２と、ガラス部２を支えるコの字型のコの字ステー４と、カニテ型の固定ステー３からなる。引き出し付きカウンター本体１１の切り欠き部４２、４３に前板部材５を差し込む。と、同時に、固定ステー３が固定ねじ４１にはまり込み、固定ねじ４１で締めつけることで前板部材５は引き出し付きカウンター本体１１に固定できる。引き出し付きカウンター本体１１の、各引き出しの幅にあった前板部材を固定し、カウンターケースの前板部材５、６、７を構成する。
【００４４】
次に、天板ガラス部１を、安定して天板１５に載置する方法を図７に示す。コの字に立設されたケース前面ガラス部およびケース側面ガラス部１２、１３、１４をがたつきがないようにほぼ直角に固定する方法でもある。図７に図示する部分はケース前面ガラス部１３とケース側面ガラス部１２の接合部である。ヒンジを中心に回動するため、ケース前面ガラス部１３とケース側面ガラス部１２の間にはわずかに隙間あけて立設されることになる。この隙間があっても固定できるようにするために、柔軟性のあるゴム台４０にガラス部の厚み分だけの溝４１をもうけ、ケース前面ガラス部１３とケース側面ガラス部１２の接合部にかぶせて用いる。なお、図７ではケース前面ガラス部１３とケース側面ガラス部１２の例を示したが、ケース前面ガラス部１３とケース側面ガラス部１４の接合部も同様に同じゴム台４０を取り付ける。ゴム台４０はゴム製であるため、滑り止めも兼ねる。こうして、天板ガラス部１を、ゴム台４０に載置することで、天板ガラス部１の天板１５からの滑り落ち防止と位置決めを兼用することができる。
【００４５】
次に、天板１５に設置されるケース前面ガラス部およびケース側面ガラス部の他の実施例を、図８で説明する。この実施例では、図５で説明した様な、ヒンジを備えた金具を使う代わりに、蝶つがいを使用する。ケース側面ガラス部１１０はガラス部１００と、ガラスを支えるコの字ステー１０１，１０６と、コの字ステー１０１，１０６に１０２の位置にスポット溶接で固定され、回動して略９０度回転する蝶つがい１０３，１０５とで構成されている。蝶つがい１０３，１０５は天板１５にビス穴１０４で固定される。また、ケース前面ガラス部１１１も同様で、ガラス部１０７とガラス部１０７を支えるコの字ステー１０８と、コの字ステー１０８に１０２の位置に溶接で固定され、回動して略９０度回転する蝶つがい１０９とで構成される。
【００４６】
蝶つがいを使用して、折り畳んだ場合には、ケース前面ガラス部およびケース側面ガラス部１１０、１１１が天板１５の突縁部内側に収納できる構成になっている。図６との差異はケース側面ガラス部１１０が図８に示すように、立設した状態から略９０度回転して、折り畳み状態となる際に、天板１５の突縁部に、コの字ステー１０１，１０６がぶつからないように切り欠き部１１３を設け、ケース前面ガラス部およびケース側面ガラス部１１０、１１１の動作範囲で逃げを作ってあることである。蝶つがい１０３，１０５によって回転すると、回転中心がヒンジ１６，１７の場合と比較してコの字ステー１０１，１０６の方が天板１５の内側にある分、回転半径が長くなるため、逃げを作ることでぶつかることを防ぐことができる。この切り欠き部はケース前面ガラス部およびケース側面ガラス部を嵌着する突縁部全周に設けられている。
【００４７】
ケース前面ガラス部１１１の他の端部には、コの字ステー１０８と、蝶つがい１０９の構成と同じものが設けられている（不図示）。ケース前面ガラス部１１１を取り付ける位置は、ケース前面ガラス部１１１を固定する蝶つがい１０９の回転心部分がケース側面ガラス部１１０の厚み分だけ、蝶つがい１０４，１０５より高い。それにより、折り畳む場合にはケース側面ガラス部１１０が先に略９０度回転し、ガラス部１００の面が天板１５と平行になり、ケース前面ガラス部１１１が次に略９０度回転し、天板１５の突縁部の高さ内に折り畳むことができる。ケース側面ガラス部１１０，ケース前面ガラス部１１１が破損し、交換する場合にはビス穴１０４のビスをはずすことで行うことができる。
【００４８】
さらに、フレーム１１２は、図７でのゴム台４０と同じ機能を有し、ケース側面ガラス部１１０とケース前面ガラス部１１１のがたつき防止のためのフレームであるガラス部１００，１１７にかぶせて、ケース側面ガラス部１１０，ケース前面ガラス部１１１の位置を固定する。フレーム１１２の材質は、ゴム等の柔軟性のあるものが望ましく、天板ガラス部１の滑り止めを兼ねることが可能である。また、ゴムに限る必要はなく、フレーム１１２に両面テープを取り付け、天板ガラス部１を載せ、固定するという方法でもかまわない。なお、固定位置を蝶つがいの上面として１０２で示したが、蝶つがいの側面であってもかまわない
【００４９】
次に、板状脚部に載置される、天板１５の他の実施例を図９に示す。図１での脇ガラス１２，１４，ケース前面ガラス部１３の代わりに、柵状の部材とした物である。本実例の場合は引き出し付きのカウンターの本体は載置されない。柵７０，７１，７２はそれぞれヒンジを持ち、脇ガラス１２，１４，ケース前面ガラス部１３と同様に略９０度回転して、折り畳むことが可能である。ガラスケースではなく、同じ板状脚部を兼用して、展示物にふさわしい台として交換、使用する時に利用でき、また、カウンターケースごとに板状脚部、ステージユニット、カウンターケース部という１セットを持つ必要がなくなり、保存の場所を縮小することができる。なお、図１で示した持ち手穴１９はあってもなくてもかまわない
【００５０】
以上説明したように、本発明の実施形態の組立て式カウンターケースでは、複数に分割した板状脚部を、ヒンジを介して板状脚部どうしを重合して折畳み自在とするとともに、板状脚部とカウンターケース部をつなぎ止める嵌合部材を備えたことを特徴とすることで、カウンターケースを複数の部材の組合せで、構成することができ、まず組み立てる際の土台に当たる板状脚部が、ついたてのように、折り畳まれた状態から展開されて自立し、板状脚部上部に設置されるカウンターケースを支えることが出来、搬送容易性、保管スペースの縮小、組立および解体容易性を兼ねることができる。
【図面の簡単な説明】
【００５１】
【図１】本発明の一実施形態に係る部材の組立を展開した図
【図２】本発明の一実施形態に係る板状脚部と、ガラスケースの嵌合部の図
【図３】本発明の一実施形態に係るたたんだ板状脚部とヒンジ部の図
【図４】本発明の一実施形態に係るたたんだガラス部の図
【図５】本発明の一実施形態で使用するヒンジを示した図
【図６】本発明の一実施形態に係る前面ガラス部の組立を展開した図
【図７】本発明の一実施形態で使用するゴム台を示した図
【図８】本発明の一実施形態に係るヒンジ部の他の実施例を示した図
【図９】本発明の一実施形態に係る天板の他の実施例の側面図
【符号の説明】
【００５２】
１  天板ガラス部
２  前面ガラス部
３  カニテ状のステー
４  コの字ステー
８  照明器具
１６  ヒンジ軸可動ヒンジ
１７  ヒンジ
２０  嵌合金具
２１  カウンターケースの脚部
３０  ヒンジ
１０３  蝶つがい
【図１】
2007117203.tif 000003
【図２】
2007117203.tif 000004
【図３】
2007117203.tif 000005
【図４】
2007117203.tif 000006
【図５】
2007117203.tif 000007
【図６】
2007117203.tif 000008
【図７】
2007117203.tif 000009
【図８】
2007117203.tif 000010
【図９】
2007117203.tif 000011